(57)【要約】【課題】ストッパーに横向きの力が作用してもストッパー先端への応力集中が回避される防振ブッシュを提供する。【解決手段】防振ブッシュ１０は、同軸に設けられた外筒１１及び内筒１２と、外筒１１内側の対向する面を架け渡すように設けられていると共に内筒１２を保持する防振ゴム１３と、を備える。防振ゴム１３は、その略中央から側方に突出して外筒１１内側面に当接したストッパー１５を有する。ストッパー１５は、外筒１１内側面への接触面積よりも横断面の面積が小さい部分１６を有する。【選択図】図１
2004293753.tif 000002
【特許請求の範囲】
【請求項１】
同軸に設けられた外筒及び内筒と、該外筒内側の対向する面を架け渡すように設けられていると共に該内筒を保持する防振ゴムと、を備えた防振ブッシュであって、
上記防振ゴムは、その略中央から側方に突出して上記外筒内側面に当接したストッパーを有しており、
上記ストッパーは、上記外筒内側面への接触面積よりも横断面の面積が小さい部分を有することを特徴とする防振ブッシュ。
【請求項２】
請求項１に記載された防振ブッシュにおいて、
上記ストッパーは、上記外筒内側面への接触面で接着されていることを特徴とする防振ブッシュ。
【発明の詳細な説明】
【０００１】
【発明の属する技術分野】
本発明は、同軸に設けられた外筒及び内筒と、その外筒内側の対向する面を架け渡すように設けられていると共に内筒を保持する防振ゴムと、を備えた防振ブッシュに関する。
【０００２】
【従来の技術】
例えば、自動車のサスペンション用の防振ブッシュとして、同軸に設けられた外筒及び内筒と、それらの間に介設されたゴム弾性体とからなるものが広く用いられている。
【０００３】
特許文献１には、同心状の外筒及び内筒と、両者間に介設されたゴム弾性体とにより構成され、かつ、内筒を挟む前後位置の一方のゴム弾性体内の中空ぬすみ部を備えると共に、他方のゴム弾性体外周部に外筒内面と、所定距離接着されていない非接着部を備え、非接着部の前後方向の隙間に比して狭く構成したラバーブッシュが開示されている。そして、これによれば、足周りがしっかりして安定性の向上を図ることができる、と記載されている。
【０００４】
特許文献２には、各トレーリングアームの揺動軸が、その揺動軸の延長線の交点が各ラバーブッシュを結ぶ線より車両前方側に位置するようにそれぞれ傾斜して設けられ、ラバーブッシュが、トレーリングアームの揺動軸を含む水平面内における、揺動軸に垂直な方向に関して、小変位域で硬く大変位域で軟かい弾性特性を有してなる自動車のリヤサスペンション装置が開示されている。そして、これによれば、トレーリングアームの傾斜角およびラバーブッシュの弾性特性を変化させることにより、トーイン方向に脹らんだ非線形なトー特性の範囲内で所望により種々のトーコントロールを行うことができる、と記載されている。
【０００５】
特許文献３には、筒部材と、この内筒部材を囲んで設けられた外筒部材と、内筒部材の外周面に当接して互いに対向して配され、それぞれ外筒部材との間に介在するラバーにより内筒部材を押圧する押圧部材とからなり、各押圧部材が所定量押圧方向に移動したとき、押圧部材が外筒部材の内周面の一部に当接して押圧部材の移動が規制されるラバーブッシュ装置が開示されている。そして、これによれば、ラバーブッシュ装置の用途の相違等に応じて適切な弾性特性をラバーブッシュ装置に与えることができ、したがって構造設計上の自由度を大きくすることができる、と記載されている。
【０００６】
特許文献４には、前後のラテラルリンク系のうち少なくとも一方のたわみ特性は、横力に対して非線形特性に設定されており、トレーリングリンク系のたわみ特性は、ラテラルリンク系の非線形のたわみ特性に対応して非線形特性に設定されている自動車のリヤサスペンション装置が開示されている。そして、これによれば、車輪支持部材の後方移動による後輪のトーイン方向への変位が制動力等の後向き荷重の大きさに拘らず常にラテラルリンク系でのたわみ変形による後輪のトーアウト方向への変位よりも大きくなり、後向き荷重に対する後輪のトーイン制御を有効に行うことができ、走行安定性の向上を図ることができ、かつ乗り心地を良好に維持することができる、と記載されている。
【０００７】
特許文献５には、外筒と、内筒と、内筒と外筒との間に介在せしめられた筒状ゴム弾性体とからなる連結部を有するリアサスペンションのトレーディングリンク装置において、スタート時及び加速時の操縦性を向上させる技術が開示されている。
【０００８】
特許文献６には、内筒体と、外筒体とをゴム弾性体で互いに連結し、内筒体を振動入力方向から挟む両側位置のゴム弾性体にそれぞれ筒軸に貫通する抜き窓部を設け、各抜き窓部の筒軸に直交する方向に相対向する両対向面の周方向中央位置を互いに連結する薄肉で波形の連結壁を筒軸方向全域に延びるようゴム弾性体と一体に形成し、また、筒軸方向両端のゴム弾性体に外周方向に拡径して外筒体端面に係合するフランジ部をゴム弾性体と一体に形成し、各連結壁の屈曲部に振動入力により破断する最弱部を形成するとともに、根元部を対向面に対して滑らかな曲面で移行するように形成することが開示されている。そして、これによれば、抜き窓部の変形に基く本来の防振特性を確保しつつ、弾性体の外筒体への圧入組み付け時におけるフランジ部の噛み込み現象の防止を図り、同時に、使用時における異音発生の防止をも図ることができる、と記載されている。
【０００９】
特許文献７には、車体前後方向に延び、後端側に車輪支持部およびサスペンションダンパ支持部を有し、前端側が弾性ブッシュを介して車体に対して上下方向に揺動自在に支持されたトレーリングアームを備えた自動車のリヤサスペンションであって、弾性ブッシュを、その中心軸線が車体上下方向に延びるように配置し且つ車体側の取付部となる内筒と、内筒と同心上にあってトレーリングアーム側に固着される外筒と、これら内外筒間に圧入される弾性体とにより構成するとともに、弾性体における車体前方側部位に、他の部位より肉厚の薄い薄肉部を形成して、弾性体における車体前方側のバネ定数を他の部位より下げることにより、乗り心地の改善と走行安定性の確保とが得られるようにする技術が開示されている。
【００１０】
【特許文献１】
実公昭６３−１０６５号公報
【特許文献２】
特公平６−５３４５０号公報
【特許文献３】
特公平６−５６１９０号公報
【特許文献４】
特許第２８２５８０８号公報
【特許文献５】
実開昭６４−３５１０７号公報
【特許文献６】
実開平７−２８００１３号公報
【特許文献７】
特開平１１−２０８２３１号公報
【００１１】
【発明が解決しようとする課題】
図６に示すように、自動車のサスペンション用で金属製のアーム２０’の先端に固定された防振ブッシュ１０’として、同軸に設けられた外筒１１’及び内筒１２’と、外筒１１’内側の対向する面を上下に架け渡すように設けられていると共に内筒１２’を保持する防振ゴム１３’と、を備え、防振ゴム１３’がその略中央から外筒１１’内側面に向かって左右両側に突出し且つ先端が外筒１１’内側面に接着されたストッパー１５’を有した構成のものがある。かかる防振ブッシュ１０’では、ストッパー１５’によって図に示すＸ方向のバネ定数が担われている。
【００１２】
ところが、防振ブッシュ１０’に図に示すＹ方向の力が作用すると、ストッパ−１５’先端の接着部には剪断応力が作用し、それによってストッパー１５’先端の接着が剥がれてしまうことがある。そして、接着が剥がれた後には、ストッパー１５’先端が外筒１１’内側面に擦れることにより異音を生じるという問題がある。
【００１３】
本発明は、かかる点に鑑みてなされたものであり、その目的とするところは、ストッパーに横向きの力が作用してもストッパー先端への応力集中が回避される防振ブッシュを提供することにある。
【００１４】
【課題を解決するための手段】
本発明は、ストッパーに、くびれ部のように、外筒内側面への接触面積よりも横断面の面積が小さい部分を形成したものである。
【００１５】
具体的には、本発明は、同軸に設けられた外筒及び内筒と、該外筒内側の対向する面を架け渡すように設けられていると共に該内筒を保持する防振ゴムと、を備えた防振ブッシュであって、
上記防振ゴムは、その略中央から側方に突出して上記外筒内側面に当接したストッパーを有しており、
上記ストッパーは、上記外筒内側面への接触面積よりも横断面の面積が小さい部分を有することを特徴とする。
【００１６】
上記の構成によれば、ストッパーが外筒内側面への接触面積よりも横断面の面積が小さい部分を有し、ストッパーに対して横方向に力が作用してもその部分が変形するので、外筒内側面に当接したストッパー先端への応力集中が回避されることとなる。
【００１７】
従って、ストッパー先端が自由端となっているような場合には、外筒内側面に当接したストッパー先端への応力集中が回避されるので、ストッパー先端が外筒内側面に擦れることにより生じる異音が抑制される。
【００１８】
また、ストッパー先端が外筒内側面に接着されているような場合には、ストッパ−先端の接着部に作用する剪断応力の集中が回避されるので、ストッパー先端の外筒内側面からの接着剥離が抑えられる。もちろん、ストッパー先端が外筒内側面から剥離してしまった場合には、ストッパー先端が外筒内側面に擦れることにより生じる異音が抑制される。
【００１９】
【発明の実施の形態】
以下、本発明の実施形態を図面に基づいて詳細に説明する。
【００２０】
図１〜３は、本発明の実施形態に係る防振ブッシュ１０を示す。
【００２１】
この防振ブッシュ１０は、金属製のアーム２０の先端に固定されて自動車のサスペンションに用いられるものである。また、この防振ブッシュ１０は、同軸に設けられた外筒１１及び内筒１２と、それらの間に介設された防振ゴム１３と、を備えている。
【００２２】
外筒１１は、鉄（Ｆｅ）又はアルミニウム（Ａｌ）により大径及び短尺に形成されている。一方、内筒１２は、鉄（Ｆｅ）又はアルミニウム（Ａｌ）により小径及び長尺に形成されている。
【００２３】
防振ゴム１３は、天然ゴム等のゴム組成物により形成されており、外筒１１内側の対向する面を架け渡すように設けられた本体部１４と、本体部１４の略中央から両側に側方に突出して外筒１１内側面に当接した一対のストッパー１５とで構成されている。この防振ブッシュ１０では、本体部１４によりＹ方向のバネ定数が担われていると共に、ストッパ部によりＸ方向のバネ定数が担われている。
【００２４】
本体部１４は、その両端が外筒１１内側面に接着されており、また、中央に内筒１２を接着保持している。
【００２５】
各ストッパー１５は、その基端部がくびれ部１６、つまり、外筒１１内側面への接触面積よりも横断面の面積が小さい部分を構成していると共に、先端が外筒１１内側面に接着されている。これによれば、ストッパー１５に対してＹ方向に力が作用してもくびれ部１６が変形して外筒１１内側面に当接接着したストッパー１５先端への剪断応力の集中が回避されるので、ストッパー１５先端の外筒１１内側面からの接着剥離が抑えられることとなる。また、ストッパー１５先端が外筒１１内側面から剥離してしまった場合には、ストッパー１５に対してＹ方向に力が作用してもくびれ部１６が変形してストッパー１５先端の移動が規制されるので、ストッパー１５先端が外筒１１内側面に擦れることにより生じる異音が抑制されることとなる。
【００２６】
次に、この防振ブッシュ１０の製造方法について説明する。
【００２７】
まず、内筒１２の外側面に市販の加硫接着剤を塗布して乾燥させる。
【００２８】
次いで、金型内に内筒１２をセットし、防振ゴム１３用のゴム組成物を圧縮成形、押出成形、トランスファー成形、射出成形などにより金型内に押出した後、所定温度及び圧力の条件下に所定時間保持する。このとき、防振ゴム１３と内筒１２とが一体化した複合体が成形される。
【００２９】
続いて、外筒１１の内側面に又はストッパー１５の外周面に市販のウレタン系又はエポキシ系の接着剤を塗布する。
【００３０】
そして、図４に示すように、外筒１１に防振ゴム１３と内筒１２との複合体を圧入し、所定温度の条件下に所定時間保持して後加硫接着する。
【００３１】
以上のようにして、外筒１１及び内筒１２に防振ゴム１３が一体化した防振ブッシュ１０を製造することができる。
【００３２】
また、別の製造方法として、金型内に接着処理した外筒１１及び内筒１２をセットし、防振ゴム組成物を圧縮成形、押出成形、トランスファー成形、射出成形などにより金型内に押出した後、所定温度及び圧力の条件下に所定時間保持して成形後、防振ゴム１３に予備圧縮を与えるために外筒１１を絞るようにしてもよい。
【００３３】
なお、上記の実施形態では、ストッパー１５がくびれ部１６を有する構成としたが、特にこれに限定されるものではなく、外筒１１内側面への接触面積よりも横断面の面積が小さい部分を有するものであれば、例えば図５に示すように、ストッパー１５が基端部から先端に行くに従って横断面積が大きくなる構成のものであってもよい。
【００３４】
また、くびれ部１６は図４に示す部分的なものや図３に示す全周にわたるものが適宜使用できる。
【００３５】
また、上記実施形態では、ストッパー１５先端が外筒１１内側面に接着したものとしたが、特にこれに限定されるものではなく、ストッパー１５先端が自由端のものであってもよい。
【００３６】
また、上記実施形態では、金属製の外筒１１及び内筒１２を用いたが、特にこれに限定されるものではなく、ポリフェニレンエーテル樹脂等の樹脂製のものであってもよい。
【００３７】
【発明の効果】
以上説明したように、本発明によれば、ストッパーが外筒内側面への接触面積よりも横断面の面積が小さい部分を有し、ストッパーに対して横方向に力が作用してもその部分が変形するので、外筒内側面に当接したストッパー先端への応力集中を回避することができる。従って、自由端であるストッパー先端が外筒内側面に擦れることにより生じる異音を抑制することができる。また、外筒内側面に接着されたストッパー先端の接着剥離を抑えることができる。
【図面の簡単な説明】
【図１】本発明の実施形態に係る防振ブッシュの上面図である。
【図２】図１におけるＩＩ−ＩＩ断面図である。
【図３】図１におけるＩＩＩ−ＩＩＩ断面図である。
【図４】防振ブッシュの製造方法を示す説明図である。
【図５】他の実施形態に係る防振ブッシュの要部拡大図である。
【図６】従来技術の防振ブッシュの上面図である。
【符号の説明】
１０  防振ブッシュ
１１  外筒
１２  内筒
１３  防振ゴム
１４  本体部
１５  ストッパー
１６  くびれ部
２０  アーム
【図１】
2004293753.tif 000003
【図２】
2004293753.tif 000004
【図３】
2004293753.tif 000005
【図４】
2004293753.tif 000006
【図５】
2004293753.tif 000007
【図６】
2004293753.tif 000008